(57)【特許請求の範囲】
【請求項１】
振動体またはひげぜんまいアセンブリ（２）を含む、時計ムーブメント（１００）用の取り外し可能なプラットフォーム脱進機アセンブリ（１）であって、少なくとも１つのひげぜんまい（５）と、ローラ（４）を備えた少なくとも１つのテンプ（３）と、前記ローラ（４）と協働するように配置されるアンクル（７）によって制御されるがんぎ車（６）とを備え、前記プラットフォーム脱進機アセンブリ（１）は脱進機受け（１０）を含み、前記脱進機受け（１０）は、誘導軸受を備えた底面（１１）の両側に、それぞれ第１の軸受面（２２）と、第２の軸受面（２３）とを備える第１のスペーサ（２０）と、第２のスペーサ（２１）とを備え、前記第１の軸受面（２２）および前記第２の軸受面（２３）は、誘導軸受を備えた上面（１１Ａ）の両側で、テンプ受け（３０）が備える第１の補完面（２４）と、第２の補完面（２５）とを支持し、前記テンプ受け（３０）は第１の位置決定手段（３１）および第２の位置決定手段（３２）によって、前記脱進機受け（１０）に対して位置決定され、前記第１の位置決定手段（３１）および前記第２の位置決定手段（３２）は、それぞれ前記第１の軸受面（２２）および前記第２の軸受面（２３）上に配置され、前記テンプ受け（３０）の前記上面（１１Ａ）は前記脱進機受け（１０）の前記底面（１１）よりも曲げ可撓性が高く、それにより、前記第２の補完面（２５）が前記第２の軸受面（２３）の適所で固定して保持されるとき、前記上面（１１Ａ）に少なくとも垂直に印加される力を受けて、前記第１の補完面（２４）は前記第１の軸受面（２２）に対して可動することができ、また逆の場合も同様であり、前記底面（１１）は、前記少なくとも１つのひげぜんまい（５）を固定するためのひげ持ち（９）と、前記テンプ（３）の底部テン真（１３）を誘導するための底部テンプ軸受（１２）と、前記アンクル（７）の底部アンクル軸（１５）を誘導するための底部アンクル軸受（１４）と、前記がんぎ車（６）の底部脱進機軸（１７）を誘導するための底部脱進機軸受（１６）とを備え、前記上面（１１Ａ）は前記テンプ（３）の上部テン真（１３Ａ）を誘導するための上部テンプ軸受（１２Ａ）と、前記アンクル（７）の上部アンクル軸（１５Ａ）を誘導するための上部アンクル軸受（１４Ａ）と、前記がんぎ車（６）の上部脱進機軸（１７Ａ）を誘導するための上部脱進機軸受（１６Ａ）とを備えることを特徴とする、プラットフォーム脱進機アセンブリ（１）。
【請求項２】
請求項１に記載のプラットフォーム脱進機アセンブリ（１）であって、前記第２の補完面（２５）が前記第２の軸受面（２３）の適所で固定して保持されるとき、前記テンプ受け（３０）は、前記第１の軸受面（２２）に対する特定の位置において、前記第１の補完面（２４）に固定され、また逆の場合も同様であり、前記特定の位置は、前記脱進機受け（１０）が前記テンプ受け（３０）に最も近づいた位置における、前記テンプ（３）のあがきの調整に対応し、前記脱進機受け（１０）が前記テンプ受け（３０）に最も近づいた前記位置では、前記テンプ（３）は自由に枢動することを特徴とする、プラットフォーム脱進機アセンブリ（１）。
【請求項３】
請求項２に記載のプラットフォーム脱進機アセンブリ（１）であって、前記テンプ（３）のあがきは、前記テンプ受け（３０）が前記脱進機受け（１０）に最も近づいた位置において、前記テンプ受け（３０）を前記テンプ（３）の前記上部テン真（１３Ａ）に組み合わせた後に調整を行い、前記テンプ（３）は前記底部テン真（１３）を介して前記底面（１１）が有する前記テンプ軸受（１２）に事前に組み立て済みであり、前記最も近づいた位置において、前記テンプ（３）は、前記上面に略垂直な力（Ｆ）を印加した後に、少なくとも前記底部テン真（１３）上で、前記底部テンプ軸受（１２）に対して固定され、および／または前記上部テン真（１３Ａ）上で、前記上部テンプ軸受（１２Ａ）に対して固定され、前記力（Ｆ）によって、前記テンプ受け（３）が弾力的に変形することにより、前記脱進機受け（１０）と前記テンプ受け（３０）の一端はお互いから離間して移動する傾向を有し、前記力（Ｆ）の大きさは、前記テンプ（３）が備える外縁（３Ａ）に印加される接線力（Ｔ）を受けて、前記テンプ（３）を自由に枢動させるにはちょうど十分な大きさであることを特徴とする、プラットフォーム脱進機アセンブリ（１）。
【請求項４】
請求項１〜３のうちいずれか一項に記載のプラットフォーム脱進機アセンブリ（１）であって、前記ひげぜんまい（５）は前記底面（１１）と前記テンプ（３）の前記外縁（３Ａ）との間に配置され、前記アンクル（７）は前記外縁（３Ａ）と前記上面（１１Ａ）との間で、対向する側に配置されることを特徴とする、プラットフォーム脱進機アセンブリ（１）。
【請求項５】
請求項１〜４のうちいずれか一項に記載のプラットフォーム脱進機アセンブリ（１）であって、一方の底部アンクル軸（１５）を誘導するための底部アンクル軸受（１４）と、他方の上部アンクル軸（１５Ａ）を誘導するための上部アンクル軸受（１４Ａ）との協働によって、前記アンクル（７）は枢着され、前記枢軸は前記テンプ（３）の前記外縁（３Ａ）の外部にある前記軸の間に画定されることを特徴とする、プラットフォーム脱進機アセンブリ（１）。
【請求項６】
請求項１〜５のうちいずれか一項に記載のプラットフォーム脱進機アセンブリ（１）であって、前記アンクル（７）の前記枢動は、前記テンプ受け（３０）の前記上面（１１Ａ）から突出するバンキングピン（３７；３８）によって制限され、前記バンキングピン（３７；３８）は前記アンクル（７）のアーム（４１）の空間を制限することを特徴とする、プラットフォーム脱進機アセンブリ（１）。
【請求項７】
請求項１〜５のうちいずれか一項に記載のプラットフォーム脱進機アセンブリ（１）であって、前記アンクル（７）のアーム（４１）は、前記テンプ受け（３０）が備える穴（４０）内を移動できるバンキングピン（３９）を有し、前記バンキングピン（３９）は前記アンクル（７）の前記枢動を制限することを特徴とする、プラットフォーム脱進機アセンブリ（１）。
【請求項８】
請求項１〜７のうちいずれか一項に記載の少なくとも１つのプラットフォーム脱進機アセンブリ（１）を含む時計ムーブメント（１００）であって、前記プラットフォーム脱進機アセンブリ（１）が組み立て済みの位置にあるとき、前記がんぎ車（６）は、前記プラットフォーム脱進機アセンブリ（１）の外部にある前記ムーブメント（１００）が備える輪列と協働することを特徴とする、プラットフォーム脱進機アセンブリ（１）。
【請求項９】
請求項８に記載の少なくとも１つのムーブメント（１００）を含む時計（１０００）。
【請求項１０】
時計ムーブメント（１００）用の取り外し可能なプラットフォーム脱進機アセンブリ（１）の前記テンプのあがきを調整する方法であって、前記取り外し可能なプラットフォーム脱進機アセンブリ（１）は、少なくとも１つのひげぜんまい（５）と、ローラ（４）を備えた少なくとも１つのテンプ（３）と、前記ローラ（４）と協働するように配置されるアンクル（７）によって制御されるがんぎ車（６）とを含み、
−前記プラットフォーム脱進機は脱進機受け（１０）を備え、前記脱進機受け（１０）は、誘導軸受を備えた底面（１１）の両側に、それぞれ第１の軸受面（２２）と、第２の軸受面（２３）とを備える第１のスペーサ（２０）と、第２のスペーサ（２１）とを備え、前記第１の軸受面（２２）および前記第２の軸受面（２３）は、誘導軸受を備えた上面（１１Ａ）の両側で、テンプ受け（３０）が備える第１の補完面（２４）と、第２の補完面（２５）とを支持し、前記テンプ受け（３０）は第１の位置決定手段（３１）および第２の位置決定手段（３２）によって、前記脱進機受け（１０）に対して位置決定され、前記第１の位置決定手段（３１）および前記第２の位置決定手段（３２）は、それぞれ前記第１の軸受面（２２）および前記第２の軸受面（２３）に配置され、前記テンプ受け（３０）の前記上面（１１Ａ）は前記脱進機受け（１０）の前記底面（１１）よりも曲げ可撓性が高く、それにより、前記第２の補完面（２５）が前記第２の軸受面（２３）の適所で固定して保持されるとき、前記上面（１１Ａ）に少なくとも垂直に印加される力を受けて、前記第１の補完面（２４）は前記第１の軸受面（２２）に対して可動することができ、また逆の場合も同様であり、
−前記底面（１１）は、前記少なくとも１つのひげぜんまい（５）を固定するためのひげ持ち（９）と、前記テンプ（３）の底部テン真（１３）を誘導するための底部テンプ軸受（１２）と、前記アンクル（７）の底部アンクル軸（１５）を誘導するための底部アンクル軸受（１４）と、前記がんぎ車（６）の底部脱進機軸（１７）を誘導するための底部脱進機軸受（１６）とを備え、
−前記少なくとも１つのひげぜんまい（５）と、前記少なくとも１つのテンプ（３）と、前記がんぎ車（６）と、前記アンクル（７）とは、それぞれの軸受に取り付けられ、
−前記上面（１１Ａ）は、前記テンプ（３）の上部テン真（１３Ａ）を誘導するための上部テンプ軸受（１２Ａ）と、前記アンクル（７）の上部アンクル軸（１５Ａ）を誘導するための上部アンクル軸受（１４Ａ）と、前記がんぎ車（６）の上部脱進機軸（１７Ａ）を誘導するための上部脱進機軸受（１６Ａ）とを備え、
−前記テンプ受け（３０）は、前記第２の補完面（２５）が前記第２の軸受面（２３）の適所で固定して保持されるとき、前記第１の軸受面（２２）に対する特定の位置において、前記第１の補完面（２４）に固定され、また逆の場合も同様であり、前記特定の位置は、前記脱進機受け（１０）が前記テンプ受け（３０）に最も近づいた位置における、前記テンプ（３）のあがきの調整に対応し、前記脱進機受け（１０）が前記テンプ受け（３０）に最も近づいた前記位置では、前記テンプ（３）は自由に枢動し、
−前記テンプ受け（３０）は前記特定の位置において、溶接または接着によって固定される、
ことを特徴とする方法。
【請求項１１】
請求項１０に記載のプラットフォーム脱進機アセンブリ（１）の前記テンプのあがきを調整する方法であって、前記テンプ（３）の前記あがきの調整を行うために、
−前記テンプ受け（３０）が前記脱進機受け（１０）に最も近づいた位置において、前記テンプ受け（３０）を前記テンプ（３）の前記上部テン真（１３Ａ）に組み合わせ、前記テンプ（３）は前記底部テン真（１３）を介して前記底面（１１）が有する前記テンプ軸受（１２）に事前に組み立て済みであり、前記最も近づいた位置において、前記テンプ（３）は、前記底部テン真（１３）上と前記上部テン真（１３Ａ）上の両方で、それぞれ前記底部テンプ軸受（１２）および前記上部テンプ軸受（１２Ａ）に対して固定され、
−前記第２の補完面（２５）は前記第２の軸受面（２３）上の適所で固定され、
−略垂直な力（Ｆ）を前記上面（１１Ａ）に印加し、前記力（Ｆ）によって、前記テンプ受け（３０）が弾力的に変形することにより、前記脱進機受け（１０）と前記テンプ受け（３０）の一端はお互いから離間して移動する傾向を有し、前記力（Ｆ）の大きさは、前記テンプ（３）が開放されるまで、前記テンプ（３）が備える外縁（３Ａ）に印可される接線力（Ｔ）を受けて、前記テンプ（３）を自由に枢動させるのに、ちょうど十分な大きさである、
ことを特徴とする調整方法。
【発明の詳細な説明】
【技術分野】
【０００１】
本発明は、時計ムーブメント用の取り外し可能なプラットフォーム脱進機アセンブリに関する。プラットフォーム脱進機アセンブリは、少なくとも１つのひげぜんまいと、ローラを備えた少なくとも１つのテンプと、ローラと協働するように配置されるアンクルによって制御されるがんぎ車とを含む。プラットフォーム脱進機アセンブリは脱進機受けを含む。脱進機受けは、誘導軸受を備えた底面の両側に、第１の軸受面および第２の軸受面をそれぞれ備える第１のスペーサおよび第２のスペーサを備える。第１の軸受面および第２の軸受面は、誘導軸受を備えた上面の両側で、テンプ受けが備える第１の補完面および第２の補完面を支持する。テンプ受けは脱進機に対して、第１の軸受面および第２の軸受面上に配置される第１の位置決定手段および第２の位置決定手段によって位置決定される。テンプ受けの上面は脱進機受けの底面よりも曲げ可撓性が高い。それにより、上面に少なくとも垂直に印加される力を受けて、第２の補完面が第２の軸受面の適所で固定して保持されるとき、第１の補完面は第１の軸受面に対して可動することができる。また、逆の場合も同様である。
【０００２】
本発明はまた、少なくとも１つの上記プラットフォーム脱進機アセンブリを含む時計ムーブメントに関する。
【０００３】
本発明はまた、少なくとも１つの本種類のムーブメントを備える時計に関する。
【０００４】
本発明はさらに、時計ムーブメント用の取り外し可能なプラットフォーム脱進機アセンブリのあがきを調整する方法に関する。取り外し可能なプラットフォーム脱進機アセンブリは、少なくとも１つのひげぜんまいと、ローラを備えた少なくとも１つのテンプと、ローラと協働するように配置されるアンクルによって制御されるがんぎ車とを備える。
【０００５】
本発明は、時計製作分野に関し、より具体的には、モジュラ型のサブアセンブリを備えたムーブメントを含む腕時計の分野に関する。
【背景技術】
【０００６】
モジュラ型の時計サブアセンブリの製造には、事前加工が必要となる。これは、サブアセンブリを使用できる状態にするための調整を行うために、および、サブアセンブリをより複雑なアセンブリに組み込んだ後にさらに調整を行わなくても済むようにするためである。
【０００７】
ひげぜんまいアセンブリとがんぎ車とを有するサブアセンブリの具体的な事例では、テンプをムーブメントに組み立てる既知の手段として、ひげぜんまいアセンブリをテンプ受けにピン留めし、このユニットを、事前にがんぎ車とアンクルを組み立て済みのムーブメントに取り付ける方法がある。テンプとテンプ受けのアセンブリをムーブメントに取り付けると、軸受上の軸間、または耐震装置間での垂直方向のテンプのあがきを制御することが困難になるという問題が発生する。本明細書では耐震装置は一般的な用語である「軸受」と称する。この問題を克服するために、テンプのあがきを調整するシステムが用いられることもある。
【０００８】
最優先の目的が、ムーブメントを完全に自動化した安価な方法で組み立てることである場合には、テンプをピン留めし、ムーブメントに組み立てるこの方法は、工程にテンプとテンプ受けアセンブリを反転させる手順が含まれるため、複雑である。さらに、ムーブメントを組み立てるときには、テンプはひげぜんまいによって浮いた状態であるため、取扱いが複雑となる。
【０００９】
テンプのあがきを調整する通常の手段は、一般的に、ねじ、ナット、ばね等の追加部品を備え、これらの部品によって機械的な調節が可能となる。これらの調整手段があることによって構成部品の数が増えると、ムーブメント構成部品の値段が増加し、組立操作数が増加し、したがって、総費用が増加する。
【００１０】
ＥＴＡ  ＳＡおよびＯＭＥＧＡ  ＳＡによる特許文献１では、２つの軸受の間で回転するホイールセットのあがきを調整する装置を開示している。２つの軸受のうち１つは、受けに、他方は底部ローラにある。調整手段は、受けの基部と底部ローラとの間の距離を調整するための部品を含む。調整部品は固定ねじのための第１の穴を有し、基部に加工されて基部を貫通する第２の穴を介して起動される。固定ねじは基部を底部ローラに固定するために第２の穴に挿入されるが、回転するホイールセットのあがきを調整するために、調整部品が底部ローラと対向する受け上面から起動され、第２の穴を貫通する場合には、固定ねじは第２の穴の適所にはない。
【００１１】
ＥＴＡ  ＳＡおよびＯＭＥＧＡ  ＳＡによる特許文献２では、同様の回転するホイールセットを調整する手段を開示している。同手段は、一方では、受けの第１の部分を底部ローラに固定し、この第１の部分を底部ローラに対して固定したままにする従来の手段と、他方では、受けを変形する手段とから形成される。この受けを変形する手段は、受けの第２の部分と底部ローラとの間で、受けを変形することによって、相対的な位置を変動するように配置される。受けの第１の部分および第２の部分は、受け変形手段を駆動すると、第１の軸受と第２の軸受との間の距離が変動するように配置される。
【先行技術文献】
【特許文献】
【００１２】
【特許文献１】欧州特許公開第１８０４１４２号
【特許文献２】欧州特許公開第１８０４１４３号
【発明の概要】
【課題を解決するための手段】
【００１３】
本発明は、事前に調整を受け、ムーブメントと容易に一体化できるプラットフォーム脱進機モジュールの形成を提示する。本発明は変更できないように調整を行うための好ましい条件を適所に設定する。
【００１４】
さらに、本発明によるプラットフォーム脱進機モジュールは、具体的には１つの方向および向きにおいて、自動的な方法で組み立て可能なように構築される。すべての構成部品は、アセンブリ表面の片側で、適所に設定、固定、調整され、お互いに結合する。
【００１５】
本発明は、したがって、時計ムーブメント用の取り外し可能なプラットフォーム脱進機アセンブリに関する。取り外し可能なプラットフォーム脱進機アセンブリは、少なくとも１つのひげぜんまいと、ローラを備えた少なくとも１つのテンプと、ローラと協働するように配置されるアンクルによって制御されるがんぎ車とを含む。プラットフォーム脱進機アセンブリは脱進機受けを含む。脱進機受けは、誘導軸受を備えた底面の両側に、第１の軸受面および第２の軸受面をそれぞれ備える第１のスペーサおよび第２のスペーサを含む。第１の軸受面および第２の軸受面は、誘導軸受を備えた上面の両側で、テンプ受けが備える第１の補完面および第２の補完面を支持する。テンプ受けは脱進機受けに対して、第１の軸受面および第２の軸受面上にそれぞれ配置される第１の位置決定手段および第２の位置決定手段によって位置決定される。テンプ受けの上面は、脱進機受けの底面よりも曲げ可撓性が高い。それにより、上面に少なくとも垂直に印加される力を受けて、第２の補完面が第２の軸受面の適所で固定して保持されるとき、第１の補完面は第１の軸受面に対して可動にすることができる。また、逆の場合も同様である。本発明は、底面に、少なくとも１つのひげぜんまいを固定するためのひげ持ちと、テンプの底部テン真を誘導するための底部テンプ軸受と、アンクルの底部アンクル軸を誘導するための底部アンクル軸受と、がんぎ車の底部脱進機軸を誘導するための底部脱進機軸受とを、備えることを特徴とし、また、上面には、テンプの上部テン真を誘導するための上部テンプ軸受と、アンクルの上部アンクル軸を誘導するための上部アンクル軸受と、がんぎ車の上部脱進機軸を誘導するための上部脱進機軸受とを備えることを特徴とする。
【００１６】
本発明の一特徴によれば、第２の補完面が第２の軸受面の適所で固定して保持されるとき、テンプ受けは第１の軸受面に対する特定の位置において第１の補完面に固定される。また逆の場合も同様である。この特定の位置は、脱進機受けとテンプ受けがお互いに最も近づいた位置における、テンプのあがきの調整に対応する。脱進機受けとテンプ受けが最も近づいた位置において、テンプは自由に枢動できる。
【００１７】
本発明の一特徴によれば、テンプ受けが脱進機受けに最も近づいた位置において、テンプ受けをテンプの上部テン真に組み合わせた後に、このあがきの調整を行うことができる。テンプは、底面が有するテンプ軸受に、底部テン真を介して事前に組立済みである。この最も近づいた位置において、テンプは、少なくとも底部テン真上で、底部テンプ軸受に対して固定され、および／または上部テン真上で、上部テンプ軸受に対して固定される。上面に略垂直な力を印加した後で、この上面に略垂直な力によって、テンプ受けが弾力的に変形することにより、脱進機受けとテンプ受けの一端はお互いから離間して移動する傾向を有する。この力の大きさは、接線力を受けて、テンプを自由に枢動させるにはちょうど十分な大きさである。
【００１８】
本発明はさらに、少なくとも１つの本種類のプラットフォーム脱進機を含む時計ムーブメントに関する。本種類のプラットフォーム脱進機は、プラットフォーム脱進機が組み立て済みの位置にあるとき、がんぎ車はプラットフォーム脱進機の外部にある、ムーブメントが備える輪列と協働することを特徴とする。
【００１９】
本発明はまた、少なくとも１つの本種類のムーブメントを備える時計に関する。
【００２０】
本発明はさらに、時計ムーブメント用の取り外し可能なプラットフォーム脱進機のテンプのあがきを調整する方法に関する。取り外し可能なプラットフォーム脱進機は、少なくとも１つのひげぜんまいと、ローラを備えた少なくとも１つのテンプと、ローラと協働するように配置されるアンクルによって制御されるがんぎ車とを含む。本方法は次の特徴を有する。
−プラットフォーム脱進機は脱進機受けを備える。脱進機受けは、誘導軸受を備えた底面の両側に、それぞれ第１の軸受面および第２の軸受面を備える第１のスペーサおよび第２のスペーサを備える。第１の軸受面および第２の軸受面は、誘導軸受を備えた上面の両側で、テンプ受けが備える第１の補完面および第２の補完面を支持する。テンプ受けは脱進機受けに対して、それぞれ第１の軸受面および第２の軸受面上に配置される第１の位置決定手段および第２の位置決定手段によって位置決定される。テンプ受けの上面は脱進機受けの底面よりも曲げ可撓性が高く、それにより、上面に少なくとも垂直に印加される力を受けて、第２の補完面が第２の軸受面の適所で固定して保持されるとき、第１の補完面は第１の軸受面に対して可動することができ、また逆の場合も同様である。
−底面は、少なくとも１つのひげぜんまいを固定するためのひげ持ちと、テンプの底部テン真を誘導するための底部テンプ軸受と、アンクルの底部アンクル軸を誘導するための底部アンクル軸受と、がんぎ車の底部脱進機軸を誘導するための底部脱進機軸受とを備え、
−上面は、テンプの上部テン真を誘導するための上部テンプ軸受と、アンクルの上部アンクル軸を誘導するための上部アンクル軸受と、がんぎ車の上部脱進機軸を誘導するための上部脱進機軸受とを備える。
−少なくとも１つのひげぜんまいと、少なくとも１つのテンプと、がんぎ車と、アンクルは、それぞれの軸受に取り付けられる。
−テンプ受けは、第２の補完面が第２の軸受面上の適所で固定して保持されるとき、第１の軸受面に対する特定の位置において、第１の補完面に固定され、また逆の場合も同様である。この特定の位置は、脱進機受けがテンプ受けに最も近づいた位置における、テンプのあがきの調整に対応し、脱進機受けがテンプ受けに最も近づいた位置では、テンプは自由に枢動する。
−テンプ受けは特定の位置において、溶接または接着によって固定される。
【００２１】
本発明の一特徴によれば、テンプのあがきの調整を行うために、次の工程を行う。
−テンプ受けが脱進機受けに最も近づいた位置において、テンプ受けをテンプの上部テン真に組み合わせる。テンプは、底面が有するテンプ軸受に、底部テン真を介して事前に組立済みである。この最も近づいた位置において、テンプは、底部テン真上と上部テン真上の両方で、それぞれ底部テンプ軸受および上部テンプ軸受に対して固定される。
−第２の補完面は第２の軸受面上の適所で固定して保持される。
−略垂直な力を上面に印加する。力によって、テンプ受けが弾力的に変形することにより、脱進機受けとテンプ受けの一端はお互いから離間して移動する傾向を有し、力の大きさは、テンプが開放されるまで、接線力を受けて、テンプを自由に枢動させるのに、ちょうど十分な大きさである。
【００２２】
本発明の他の特徴および有利点は、添付図を参照して、以下の詳細な説明を読むことによって明らかとなろう。
【図面の簡単な説明】
【００２３】
【図１】本発明による取り外し可能なプラットフォーム脱進機に含まれる脱進機受けの概略斜視図を示す。脱進機受けは、底面の両側にスペーサを備え、底面にはひげ持ちおよび誘導軸受が固定され、スペーサは位置決定スタッドを備える。
【図２】図１の脱進機受けの概略斜視図を示す。脱進機受けには、ひげぜんまいと、テンプと、アンクルと、がんぎ車とがそれぞれ片持ち梁の構成で事前に組み立て済みであり、それぞれ底面の対応する軸受と協働する単一の軸によって保持される。
【図３】本発明による、図２のプラットフォーム脱進機を備える、取り外し可能なプラットフォーム脱進機アセンブリの概略斜視図を示す。プラットフォーム脱進機はテンプ受けによって覆われる。テンプ受けは、軸受を備えた上面を有し、軸受はひげぜんまいの第２の軸、テンプ、アンクルおよびがんぎ車と協働する。テンプ受けはさらに、脱進機受けの位置決定スタッドと協働する穴を備える。
【図４】図３の取り外し可能なプラットフォーム脱進機のひげぜんまい、テンプ、アンクルおよびがんぎ車の軸を縦断する概略断面図を示す。第１の組み立て位置を示し、プラットフォーム脱進機の組み立てが完了する前に、テンプのあがきを調整する際に、テンプ受けが弾力的に変形する位置を点線で示す。
【図５】第１の変形の概略透視平面図を示す。第１の変形はテンプ受けに固定された、アンクルのための２つの制限係止部を備える。
【図６】第２の変形の概略透視平面図を示す。第２の変形はテンプ受けに配置された穴と協働する、アンクルのアームに固定されたバンキングピンを備える。穴はバンキングピンの移動を制限する。
【図７】本発明による取り外し可能なプラットフォーム脱進機を組み込んだムーブメントを含む、腕時計の概略斜視図を示す。
【発明を実施するための形態】
【００２４】
本発明は時計製作分野に関し、より具体的には、モジュラ型のサブアセンブリを備えたムーブメントを含む腕時計の分野に関する。
【００２５】
ムーブメント上に、振動体を有するモジュールの自動的な組立を容易にするために、プラットフォーム脱進機型の構造が選択されてきた。プラットフォーム脱進機型の構造もまた、自動的な方法で、事前に組み立てられている。
【００２６】
したがって、本発明は、事前に調整を受け、具体的には中央位置合わせおよび枢動によって、ムーブメントと容易に一体化できるプラットフォーム脱進機モジュールに関する。本プラットフォーム脱進機モジュールは、ムーブメントに組み込む前のサブアセンブリ段階において、テンプのあがきに関して変更できないように調整される。
【００２７】
自動生産ラインで製造される任意のプラットフォーム脱進機モジュールはお互いに完全に交換可能でなければならないため、本発明の目的は完全に再現可能な条件を生成することである。
【００２８】
本プラットフォーム脱進機モジュールの構造は、具体的には１つの方向および向きにおいて、自動的な方法で組み立て可能なように構築される。すべての構成部品は、アセンブリ表面の片側で、適所に設定、固定、調整され、お互いに結合する。
【００２９】
図に示すように、時計ムーブメント１００用の取り外し可能なプラットフォーム脱進機アセンブリ１は振動体、つまりひげぜんまいアセンブリ２を含む。ひげぜんまいアセンブリ２は、少なくとも１つのひげぜんまい５と、少なくとも１つのテンプ３とを備え、ローラ４を装備する。
【００３０】
図に例示はしないが、他の実施可能な変形において、プラットフォーム脱進機１は違う種類の振動体を備えることもあり、具体的にはひげぜんまいを有さずに、たとえば磁気および／または静電気振動体を備えることもある。振動体は枢軸の周りを枢動するホイールセットに、周期的運動を伝達する。ひげぜんまいアセンブリの好ましい事例として本明細書で提示する実施形態は、別の種類の振動体に、限定なく適用することができる。なぜなら、テンプのあがきを調整することに関する以下の論理を適応して、振動体ホイールセットのあがきを調整できるからである。振動体ホイールセットは周期的に動作し、周期的にがんぎ車または類似部品を枢動させる。したがって、本実施形態は、いかなる意味でも限定するものではない。
【００３１】
プラットフォーム脱進機アセンブリ１はさらに、本実施形態では、ローラ４と協働するように配置されるアンクル７によって制御されるがんぎ車６を備える。
【００３２】
本発明によれば、本プラットフォーム脱進機アセンブリ１は、脱進機受け１０を含む。脱進機受け１０は、誘導軸受を備えた底面１１の両側に、第１の軸受面２２および第２の軸受面２３をそれぞれ備える第１のスペーサ２０および第２のスペーサ２１を含む。第１の軸受面２２および第２の軸受面２３は、テンプ受け３０の上面１１Ａの両側で、テンプ受け３０が備える第１の補完面２４および第２の補完面２５を支持するように配置される。この誘導上面１１Ａは誘導軸受を備え、この誘導軸受は底面１１の誘導軸受に面する。
【００３３】
テンプ受け３０は脱進機受け１０に対して、第１の位置決定手段３１および第２の位置決定手段３２によって位置決定される。第１の位置決定手段３１および第２の位置決定手段３２は、好ましくは第１の軸受面２２および第２の軸受面２３上にそれぞれ配置される。
【００３４】
本発明の具体的な特徴によれば、テンプ受け３０の上面１１Ａは、脱進機受け１０の底面１１よりも曲げ可撓性が高い。それにより、上面１１Ａに少なくとも垂直に印加される力を受けて、第２の補完面２５が第２の軸受面２３の適所で固定して保持されるとき、第１の補完面２４は第１の軸受面２２に対して可動することができる。また、逆の場合も同様である。
【００３５】
逆の構成は記録のために述べたものであり、以下の説明では言及されていないが、当業者には、以下で説明するようにテンプのあがきを調整するために、様々な表面の相対的な機能を逆転させる方法は自明であろう。
【００３６】
当然のことながら、脱進機受け１０の可撓性をテンプ受け３０の可撓性よりも高くする逆の構成も可能であるが、アセンブリ全体を基準面の片側に形成することは現実的ではない。ここでは、基準面は底面１１から形成される。
【００３７】
図に例示するように、ひげぜんまいアセンブリ２を用いる変形では、脱進機受け１０の底面１１は、少なくとも１つのひげぜんまい５を固定するためのひげ持ち９と、テンプ３の底部テン真１３を誘導するための底部テンプ軸受１２と、アンクル７の底部アンクル軸１５を誘導するための底部アンクル軸受１４と、がんぎ車６の底部脱進機軸１７を誘導するための底部脱進機軸受１６とを備える。
【００３８】
これらの軸受を、有利には、図１に示すように、第１の組立操作中に適所に取り付け、固定する。図１は第１の操作後の、事前に装備済みの脱進機受け１０を示す。脱進機受け１０では、構成部品の提示手段、加工手段、操作中の駆動手段、接着または溶接手段はすべて底面１１の片側にある。スペーサ２０およびスペーサ２１が脱進機受け１０と同じ部品として形成されていない場合は、同じ第１の操作中に、スペーサ２０およびスペーサ２１も取り付けられる。ただし、構成部品の数を少なくするために、スペーサ２０およびスペーサ２１を脱進機受けと一体化することが有利である。好ましくは、図に例示するように、第１の位置決定手段３１および第２の位置決定手段３２は、それぞれ第１の軸受面２２および第２の軸受面２３上に配置される。第１の位置決定手段３１および第２の位置決定手段３２は、本実施形態ではスタッドの形をとり、それぞれスタッド３３およびスタッド３５である。スタッド３３およびスタッド３５も同じ第１の組立操作において取り付けることができる。
【００３９】
好ましくは、スペーサのうちの１つ、本実施形態では第１のスペーサ２０が単一の第１の軸受面２２と、単一の位置決定スタッド３３とを有する場合は、他のスペーサ、本実施形態では第２のスペーサ２１は、軸受面２３Ａと軸受面２３Ｂの２つに別れた第２の軸受面２３を有する。２つの軸受面２３Ａと軸受面２３Ｂはそれぞれ、位置決定スタッド３５Ａと位置決定スタッド３５Ｂとを備える。このように、様々なホイールセットの枢軸に対して垂直面に沿って、スペーサのうち１つのみで、本実施形態では第２のスペーサ２１のみで、テンプ受け３０を固定し、正確に位置決定することが可能である。図に例示する変形では、２つのスタッド３５Ａと３５Ｂとの間で、第２のスペーサは局所的にくり抜かれ、チャンバ１９を備える。チャンバ１９によって、がんぎ車６は自由に枢動できる。第２のスペーサ２１を２つの部品で構成することも可能であるが、本明細書で例示する実施形態では、脱進機軸受１６の近辺で、脱進機受け１０が非常に堅固になるという利点を有し、それにより、スタッド３５Ａおよび３５Ｂに対する軸受の位置を一定に保つことができる。
【００４０】
対称的に、テンプ受け３０の上面１１Ａは、テンプ３の上部テン真１３Ａを誘導するための上部テンプ軸受１２Ａと、アンクル７の上部アンクル軸１５Ａを誘導するための上部アンクル軸受１４Ａと、がんぎ車６の上部脱進機軸１７Ａを誘導するための上部脱進機軸受１６Ａとを備える。表面には、位置決定スタッドと対面するハウジングを備える。つまり、スタッド３３に対向するハウジング３４と、スタッド３５Ａおよびスタッド３５Ｂに対向するハウジング３６Ａおよびハウジング３６Ｂとを備える。本実施形態に示すスタッドおよびハウジングは円筒形であるが、適切な位置決定を行うことができる他の形状を用いてもよい。当然のことながら、図に例示するオス／メス構成の代わりに、メス／オス構成、または混合した構成を適用することもできる。
【００４１】
テンプ受け３０の軸受は、有利には、事前組立操作において適所に取り付け、および固定される。事前組立操作では、図１に示す第１の組立操作における底面１１と同様の方法で、上面１１Ａは組立手段に対して回転する。
【００４２】
第２の組立操作は、図２に示すように、次のように行う。少なくとも１つのひげぜんまい５と、少なくとも１つのテンプ３と、がんぎ車６と、アンクル７とをそれぞれの軸受に位置決定して組み立て、ひげぜんまい５をひげ持ち９にピン留めすることによって、事前に装備済みの脱進機受け１０の取り付けを完了する。
【００４３】
第３の組立操作では、テンプ受け３０を脱進機受け１０とは反対側に移動させることによって、ハウジング３４およびハウジング３６と、脱進機受け１０のスタッド３３およびスタッド３５とを組み合わせる。また、上部軸受は関連する上部軸を誘導する。つまり、それぞれ、上部テンプ軸受１２Ａはテンプ３の上部テン真１３Ａを誘導し、上部脱進機軸受１６Ａはがんぎ車６の上部脱進機軸１７Ａを誘導し、上部アンクル軸受１４Ａはアンクル７の上部アンクル軸１５Ａを誘導する。
【００４４】
この第３の組立操作は、図３に示すように、脱進機受け１０がテンプ受け３０に最も近づいた位置で終了する。
【００４５】
この最も近づいた位置において、テンプ３は、少なくとも底部テン真１３上で、底部テンプ軸受１２に対して固定され、および／または上部テン真１３Ａ上で、上部テンプ軸受１２Ａに対して固定される。テンプ３はこのように接合位置で固定され、適正なトルクを受けても枢動することはない。この場合、使用時に振動体、つまり本事例ではひげぜんまい５によって印加されるトルクと同程度の大きさのトルクでは駆動しない。
【００４６】
好ましくは、この最も近づいた位置において、第２のスペーサ２１の第２の軸受面２３は、テンプ受け３０の第２の補完面２５と接触する。
【００４７】
この段階で、第２の補完面２５を第２の軸受面２３上の適所で固定することが有利である。具体的には、ハウジング３６Ａおよびハウジング３６Ｂと、スタッド３５Ａおよびスタッド３５Ｂをお互いに固定するために、具体的には溶接および／または接着などによって固定することが有利である。
【００４８】
第４の調整操作は、テンプをゆるめ、テンプ３のあがきを最小値に調整することである。
【００４９】
そのためには、図４に示すように、略直角の力Ｆを上面１１Ａに印加する。この力によって、バランス受け３０が弾力的に変形することにより、脱進機受け１０とテンプ受け３０の一端はお互いから離間して移動する傾向を有する。
【００５０】
図４は、この力Ｆを受けて生じる変形Ｄを点線で示す。力Ｆの振幅は小さいが、テンプ３を保持する軸および軸受の相対的位置を変化させ、テンプを開放するには十分な大きさである。
【００５１】
力Ｆの大きさは、図３に示すように、テンプ３が開放されるまで、テンプ３が備える外縁３Ａに印加した接線力Ｔを受けて、テンプ３を自由に枢動させるのに、ちょうど十分な大きさである。この接線力Ｔによって、テンプ３には基準トルクよりも小さいトルクが印加される。基準トルクとは、使用中に、振動体、つまり本事例ではひげぜんまい５によって印加されるトルクである。本調整操作中に印加される接線力Ｔから生じるトルクは、基準トルクよりもはるかに小さいことが好ましい。具体的には、基準トルクの１０分の１よりも小さいことが好ましい。実際には、外縁３Ａに対する気流として印加することが有利である。
【００５２】
テンプ３が開放されるとすぐに、第１の軸受面２２に対する特定の位置において、テンプ受け３０を第１の補完面２４に固定する。一方、第２の補完面２５は第２の軸受面２３の適所で固定して保持される。
【００５３】
この特定の位置は、したがって、脱進機受け１０がテンプ受け３０に最も近づいた位置における、テンプ３のあがきの調整に対応する。脱進機受け１０がテンプ受け３０に最も近づいた位置では、テンプ３は自由に枢動できる。
【００５４】
つまり、テンプ受け３０が脱進機受け１０に最も近づいた位置において、テンプ受け３０をテンプ３の上部テン真１３Ａに組み合わせると、テンプ３は最も近づいた位置において、少なくとも底部テン真１３上で、底部テンプ軸受１２に対して固定され、および／または上部テン真１３Ａ上で、上部テンプ軸受１２Ａに対して固定される。テンプ３は、底面１１が有するテンプ軸受１２に、テンプ３の底部テン真１３を介して事前に組み立済みである。テンプ３のあがきは、上面１１Ａに略垂直な力Ｆを印加した後に調整される。上面１１Ａに略垂直な力Ｆによって、テンプ受けが弾力的に変形することにより、脱進機受け１０とテンプ受け３０の一端はお互いから離間して移動する傾向を有する。この力Ｆの大きさは、テンプ３の外縁に印加される接線力Ｔを受けて、テンプ３を自由に枢動させるには、ちょうど十分な大きさである。
【００５５】
要するに、本発明が提示する構造では、プラットフォーム脱進機アセンブリ１のすべての構成部品を、同一の側に以下の順番で取り付ける。
−汎用ムーブメントの底部を、事前に装備済みの脱進機受け１０に事前に取り付ける。
−ひげぜんまいアセンブリ２をひげ持ち９と結合し、ピン留めする。
−がんぎ車６およびアンクル７を結合する。
−テンプ受け３０を結合する。
【００５６】
本実施形態では、テンプ３のあがきの調整は、以下の順番でムーブメントを組み立てら前に、プラットフォーム脱進機アセンブリ１上で直接行う。
−テンプ受け３０をスタッド３５Ａおよびスタッド３５Ｂの上に移動し、そこに固定する。この位置において、テンプ３のテン真の少なくとも１つを、意図的に固定する。
−次に、テンプ受け３０をスタッド３２に対して移動させるために、テンプ３が開放されるまで、テンプ受け３０を弾力的な変形によって局所的に移動させる。テンプ３の開放を容易に検知するために、外縁３Ａ上の接線力によって微小なトルクをテンプ３に印可する。したがって、テンプは開放されると、回転を始める。
−テンプが開放されたことを検知すると、テンプ受け３０をスタッド３２に固定されたこの位置で固定する。
【００５７】
好ましい本実施形態では、ひげぜんまい５は底面１１とテンプ３の外縁３Ａとの間に配置される。アンクル７はひげぜんまい５と対向する側で、外縁３Ａと上面１１Ａとの間に配置される。テンプが緩急針アセンブリを用いない場合に、ひげぜんまい５を外縁３Ａの下に配置する、この独特な配置が可能となる。
【００５８】
好ましくは、アンクル７は、一方の底部アンクル軸１５を誘導するための底部アンクル軸受１４と、他方の上部アンクル軸１５Ａを誘導するための上部アンクル軸受１４Ａとの協働によって枢着される。枢軸はテンプ３の外縁３Ａの外部にある軸の間に画定される。アンクルの枢動は外縁の外側に押し出されるため、爪石受けを使用する必要はない。
【００５９】
図５は第１の変形を例示する。第１の変形では、アンクル７の枢動はバンキングピン３７、３８によって制限される。バンキングピン３７，３８は、テンプ受け３０の上面１１Ａから突出し、アンクル７のアーム４１の空間を制限する。
【００６０】
図６は第２の変形を例示する。第２の変形では、アンクル７のアーム４１はバンキングピン３９を有する。バンキングピン３９はテンプ受け３０が備える穴４０内で可動することができ、アンクル７の枢動を制限する。
【００６１】
本発明はまた、少なくとも１つの上記プラットフォーム脱進機アセンブリ１を含む時計ムーブメント１００に関する。本発明によれば、プラットフォーム脱進機アセンブリ１が組み立て済みの位置にあるとき、がんぎ車６はプラットフォーム脱進機アセンブリ１の外部にある、ムーブメント１００が備える輪列と協働する。
【００６２】
本発明はまた、少なくとも１つの上記ムーブメント１００を含む時計１０００に関する。
【００６３】
つまり、外縁上部のひげぜんまいと、外縁下部のアンクルと、緩急針アセンブリとを含む標準的なムーブメントを備える従来の技術のアセンブリと比較すると、本発明は新しい構造を備えるムーブメントを提示する。すなわち、外縁下部のひげぜんまいと、外縁上部とのアンクルを備え、緩急針アセンブリを用いない新しい構造のムーブメントである。新しい構造とは、プラットフォーム脱進機アセンブリを同一の側面に、自動化した方法で取り付けられるということを意味する。最後に、テンプのあがきを調整するシステムは、追加の部品を用いずに実行することができる。
【図１】
0005411333.tif 000002
【図２】
0005411333.tif 000003
【図３】
0005411333.tif 000004
【図４】
0005411333.tif 000005
【図５】
0005411333.tif 000006
【図６】
0005411333.tif 000007
【図７】
0005411333.tif 000008